(57)【特許請求の範囲】
【請求項１】
画像データに基づいて媒体に画像を印刷する画像形成部と、
操作入力を受け付ける操作表示部と、
少なくともカラープロファイルを格納する記憶部と、
前記記憶部、前記操作表示部および前記画像形成部を制御する制御部と、を有し、
前記制御部は、前記カラープロファイルに基づいて前記画像形成部でテストチャートを印刷するように制御し、該テストチャートを測色した測色データを受けると、該測色データと前記カラープロファイルに基づく基準データとを比較し、比較結果に基づいて色差が基準値以内かを判定し、色差が基準値以内でない場合、前記画像形成部の色調整を実施する色調整機能を有し、
さらに前記制御部は、前記色調整が実施された場合の必要資源量を取得する機能を有し、
前記判定で基準値以内と判定された場合、前記必要資源量を前記操作表示部に表示し、かつ、色差を調整する前記色調整をさらに実施するかの問い合わせを行うことを特徴とする画像形成装置。
【請求項２】
前記基準値が前記カラープロファイルに基づいて予め設定されていることを特徴とする請求項１記載の画像形成装置。
【請求項３】
前記制御部は、前記基準値を前記操作表示部を介して設定可能にすることを特徴とする請求項１記載の画像形成装置。
【請求項４】
前記制御部は、前記必要資源量を前記操作表示部に表示する際に、現在の色差と色調整後の色差の予測値とを併せて表示することを特徴とする請求項１〜３のいずれか１項に記載の画像形成装置。
【請求項５】
前記制御部は、前記色調整の実施問い合わせに対し、実施の操作入力を受けると、前記色調整を実施することを特徴とする請求項１〜４のいずれか１項に記載の画像形成装置。
【請求項６】
前記必要資源量が、前記調整に必要な時間情報であり、時間情報は、媒体の種類によって異なることを特徴とする請求項１〜５のいずれか１項に記載の画像形成装置。
【請求項７】
前記必要資源量が、前記色調整に必要な用紙枚数または用紙長さであることを特徴とする請求項１〜６のいずれか１項に記載の画像形成装置。
【請求項８】
前記制御部は、前記必要資源量を算出または過去の実績データより取得することを特徴とする請求項１〜７のいずれか１項に記載の画像形成装置。
【請求項９】
前記記憶部に、前記必要資源量に関する設定値が格納されており、
前記制御部は、前記記憶部から設定値を読み出して前記必要資源量を取得することを特徴とする請求項１〜８のいずれか１項に記載の画像形成装置。
【請求項１０】
前記記憶部は、前記設定値が初期設定値として予め格納されていることを特徴とする請求項９記載の画像形成装置。
【請求項１１】
前記制御部は、前記色調整が行われると、使用された必要資源量を計測し、必要資源量を前記設定値として前記記憶部に格納することを特徴とする請求項９記載の画像形成装置。
【請求項１２】
画像形成された用紙を測色して測色データを出力する測色部を有し、
前記制御部は、前記測色部から測色データを取得することを特徴とする請求項１〜１１のいずれか１項に記載の画像形成装置。
【請求項１３】
前記測色部は、搬送経路上を搬送される媒体上に形成された画像を測色するインラインセンサーであることを特徴とする請求項１２記載の画像形成装置。
【請求項１４】
カラープロファイルに基づいて画像形成部に対しテストチャートを印刷する制御を行い、該テストチャートを測色した測色データを受けると、該測色データと前記カラープロファイルに基づくカラーチャートのデータとを比較し、比較結果に基づいて色差が基準値以内かを判定し、色差が基準値以内でない場合、前記画像形成部に対し色調整を実施する制御を行い、
さらに、前記色調整が実施された場合の必要資源量を取得し、
前記判定で基準値以内と判定された場合、前記必要資源量を操作表示部に表示し、かつ、色差を調整する前記色調整をさらに実施するかの問い合わせを行うことを特徴とする画像形成方法。
【請求項１５】
必要資源量に関する設定値を記憶部に格納しておき、
前記記憶部から設定値を読み出して前記必要資源量を取得することを特徴とする請求項１４に記載の画像形成方法。
【発明の詳細な説明】
【技術分野】
【０００１】
この発明は、カラープロファイルに合わせた色によって出力を可能とする画像形成装置および画像形成方法に関するものである。
【背景技術】
【０００２】
画像形成装置で印刷を行う際には、一般にその装置に適合させた出力プロファイルや汎用的な出力プロファイルを用いて画像を形成している。その一方で、ユーザーの希望によるターゲットカラーや基準的なターゲットカラーによって印刷を行いたいという要望がある。このような要望に対しては、印刷目標とするカラープロファイルを取得し、このカラープロファイルに基づいて印刷したい画像を色変換して印刷を可能にする。
この際に、印刷データにカラープロファイルを適用してその結果が所定の範囲に入るように自動調整が実施される。自動調整は決められた色差以下になれば終了する。例えば特許文献１では、パッチを作成・測定し、色差が範囲外なら画像安定化を行う。
また、調整が行われる場合、プリントジョブの終了予想時間に、そのジョブの終了までに発生すると予測される自動調整の実行時間を含める装置が提案されている（特許文献２参照）。
【先行技術文献】
【特許文献】
【０００３】
【特許文献１】特開２０１３−１０４９号公報
【特許文献２】特開２００７−２８１７７３号公報
【発明の概要】
【発明が解決しようとする課題】
【０００４】
ところで、カラープロファイルを適用して印刷を行う場合、印刷物に対し、色認証結果（エビデンス）を添付するような場合などでは、少しでも良い方向に調整しておきたいというユーザーの要望があり、決められた色素よりもさらに改善した調整値を得たい場合がある。しかしながら、人件費と材料費（時間や用紙）を使って、追いこんだ色合わせを行う価値の有無を事前に判断する情報がないという問題がある。
【０００５】
本願発明は、上記事情を背景としてなされたものであり、色調整を実施した場合に、どれ位の必要資源量を要するかを示し、ユーザーが再調整を行うかどうかを、判断し易くする画像形成装置および画像形成方法を提供することを目的の一つとする。
【課題を解決するための手段】
【０００６】
すなわち、本発明の画像形成装置のうち、第１の形態は、
画像データに基づいて媒体に画像を印刷する画像形成部と、
操作入力を受け付ける操作表示部と、
少なくともカラープロファイルを格納する記憶部と、
前記記憶部、前記操作表示部および前記画像形成部を制御する制御部と、を有し、
前記制御部は、前記カラープロファイルに基づいて前記画像形成部でテストチャートを印刷するように制御し、該テストチャートを測色した測色データを受けると、該測色データと前記カラープロファイルに基づく基準データとを比較し、比較結果に基づいて色差が基準値以内かを判定し、色差が基準値以内でない場合、前記画像形成部の色調整を実施する色調整機能を有し、
さらに前記制御部は、前記色調整が実施された場合の必要資源量を取得する機能を有し、
前記判定で基準値以内と判定された場合、前記必要資源量を前記操作表示部に表示し、かつ、色差を調整する前記色調整をさらに実施するかの問い合わせを行うことを特徴とする。
【０００７】
本発明の画像形成装置の第２の形態は、前記基準値が前記カラープロファイルに基づいて予め設定されていることを特徴とする。
【０００８】
本発明の画像形成装置の第３の形態は、前記制御部は、前記基準値を前記操作表示部を介して設定可能にすることを特徴とする。
【０００９】
本発明の画像形成装置の第４の形態は、前記制御部は、前記必要資源量を前記操作表示部に表示する際に、現在の色差と色調整後の色差の予測値とを併せて表示することを特徴とする。
【００１０】
本発明の画像形成装置の第５の形態は、前記制御部は、前記色調整の実施問い合わせに対し、実施の操作入力を受けると、前記色調整を実施することを特徴とする。
【００１１】
本発明の画像形成装置の第６の形態は、前記必要資源量が、前記調整に必要な時間情報であり、時間情報は、転写媒体の種類によって異なることを特徴とする。
【００１２】
本発明の画像形成装置の第７の形態は、前記必要資源量が、前記色調整に必要な用紙枚数または用紙長さであることを特徴とする。
【００１３】
本発明の画像形成装置の第８の形態は、前記制御部は、前記必要資源量を算出または過去の実績データより取得することを特徴とする。
【００１４】
本発明の画像形成装置の第９の形態は、前記記憶部に、前記必要資源量に関する設定値が格納されており、前記制御部は、前記記憶部から設定値を読み出して前記必要資源量を取得することを特徴とする。
【００１５】
本発明の画像形成装置の第１０の形態は、前記記憶部は、前記設定値が初期設定値として予め格納されていることを特徴とする。
【００１６】
本発明の画像形成装置の第１１の形態は、前記制御部は、前記色調整が行われると、使用された必要資源量を計測し、必要資源量を前記設定値として前記記憶部に格納することを特徴とする。
【００１７】
本発明の画像形成装置の第１２の形態は、画像形成された用紙を測色して測色データを出力する測色部を有し、前記制御部は、前記測色部から測色データを取得することを特徴とする。
【００１８】
本発明の画像形成方法のうち、第１の形態は、カラープロファイルに基づいて画像形成部に対しテストチャートを印刷する制御を行い、該テストチャートを測色した測色データを受けると、該測色データと前記カラープロファイルに基づくカラーチャートのデータとを比較し、比較結果に基づいて色差が基準値以内かを判定し、色差が基準値以内でない場合、前記画像形成部に対し色調整を実施する制御を行い、
さらに、前記色調整が実施された場合の必要資源量を取得し、
前記判定で基準値以内と判定された場合、前記必要資源量を操作表示部に表示し、かつ、色差を調整する前記色調整をさらに実施するかの問い合わせを行うことを特徴とする。
【００１９】
本発明の画像形成方法の第２の形態は、前記形態の発明において、必要資源量に関する設定値を記憶部に格納しておき、
前記記憶部から設定値を読み出して前記必要資源量を取得することを特徴とする。
【発明の効果】
【００２１】
以上説明したように、本発明によれば、色差をさらに改善するために必要な資源量を予め把握することができるので、再調整を行うか否か判断が容易になる。
【図面の簡単な説明】
【００２２】
【図１】本発明の一実施形態の画像形成装置を示す機械的な概略図である。
【図２】同じく、制御部の機能ブロック図である。
【図３】同じく、カラープロファイルに基づく色調整を行う手順を示すフローチャートである。
【図４】同じく、操作表示部に表示された操作画面を示す図である。
【発明を実施するための形態】
【００２３】
以下に、本発明の一実施形態を説明する。
本発明の一実施形態の画像形成装置１について、機械的な概略を図１に基づいて説明する。
画像形成装置１は、画像形成装置本体１０の上部側に自動原稿給送装置（ＡＤＦ）１３が設けられており、自動原稿給送装置（ＡＤＦ）１３で給送される原稿は、図２で示されるスキャナー部１３０で画像読取が可能になっている。なお、原稿は、プラテンガラス上で読み込むこともできる。
【００２４】
また、画像形成装置本体１０の上部側で、プラテンガラスが位置しない箇所に、操作表示部１４０が設置されている。操作表示部１４０は、ＬＣＤとタッチパネルで構成されており、ユーザーによる操作および情報の表示が可能になっている。この実施形態では操作表示部１４０は、操作部と表示部の機能を兼用している。なお、操作部をマウスやタブレットなどで構成し、ＬＣＤなどの表示部とは別体で構成することも可能である。
【００２５】
画像形成装置本体１０の下部側には、用紙を収納して給紙する給紙トレイ１２が配置されている。給紙トレイ１２は、多段で構成してもよい。この実施形態では、用紙は本発明の媒体に相当する。なお、媒体は、用紙に限られるものではなく、画像を印刷して搬送できるものであればよく、その材質は問わない。また、媒体は、シート形状の他、連続媒体であってもよい。
【００２６】
画像形成装置本体１０内には、給紙トレイ１２から給紙される用紙を搬送する搬送経路１５が設けられており、画像形成装置本体１０内の搬送経路１５の途中に、画像形成部１６が設けられている。
画像形成部１６では、各色用の感光体１６Ａと中間転写ベルト１６Ｂ、二次転写部１６Ｃを有しており、感光体１６Ａの周囲には、各色用に、図示しない、帯電器、ＬＤ、現像器が配置されている。さらに、さらに二次転写部１６Ｃの下流側の搬送経路１５には定着器１６Ｄが配置されている。この実施形態では、搬送経路１５は、図示しない搬送ローラや駆動モータなどとともに搬送部を構成する。
【００２７】
定着器１６Ｄの下流側で、搬送経路１５が伸長して排紙部１７に接続されている。排紙部１７は、そのまま排紙トレイなどを設置するものであってもよく、また、図示しない後処理装置の搬送経路に接続されるものであってもよい。後処理装置は、画像形成装置に含まれてもよく、また、画像形成装置に含まれないものであってもよい。
また、搬送経路１５は、定着器１６Ｄの下流側で分岐して、画像形成部１６の上流側の搬送経路１５に合流する反転搬送経路１５Ａを有している。反転搬送経路１５Ａには、用紙を反転させる機構（図示しない）を有している。反転搬送経路１５Ａで反転された用紙は、反転搬送経路１５Ａを通して画像形成部１６の上流側の搬送経路１５に返流して用紙の裏面側に画像を印刷することができる。
【００２８】
画像形成部１６では、帯電器により画像書込み前に感光体１６Ａの表面を一様に帯電し、画像書き込み部により表面が一様に帯電された感光体１６Ａにレーザ照射などをして感光体１６Ａに静電潜像を形成する。現像器は、感光体１６Ａに形成された静電潜像をトナー材によって現像する。この現像処理によって、感光体１６Ａにトナー画像が形成される。感光体１６Ａのトナー画像は、中間転写ベルト１６Ｂに転写され、二次転写部１６Ｃによって、給紙トレイ１２から搬送されてきた用紙にトナー画像が転写される。トナー画像が転写された用紙は、搬送経路１５に沿って搬送されて定着器１６Ｄに至る。
感光体１６Ａや中間転写ベルト１６Ｂに残留したトナー材は、図示しないクリーニング部によって除去される。
【００２９】
定着器１６Ｄは、搬送された用紙を加熱することにより用紙の表面側に転写されたトナー画像を出力画像として定着する。この定着により、用紙への画像の印刷が完了する。
定着処理が施された用紙は、搬送経路１５によってそのまま排紙部１７に排出するか、反転搬送経路１５Ａを通して表裏が反転された後、画像形成部１６の上流側の搬送経路１５に返流される。表裏反転された用紙は、画像形成部１６によって裏面への画像印刷を行うことができる。
【００３０】
また、定着器１６Ｄと、搬送経路１５の分岐地点との間には、搬送経路１５を通して搬送される用紙の画像を測色する測色センサー１８が設置されている。なお、測色の構成は、インラインセンサー、ＣＩＳ（コンタクトイメージセンサ）などを用いることができ、本発明としては特定のものに限定されるものではなく、用紙の画像の測色を行えるものであれば、その構成が特に限定されるものではない。測色センサー１８は、本発明の測色部に相当する。この実施形態では、測色センサー１８としてインラインセンサーが用いられている。
【００３１】
なお、この実施形態では、画像形成装置１に、用紙上の画像の測色を行うインラインセンサー１８を備えるものとして説明したが、画像形成装置１外に用紙上の画像の測色を行う測色部を有していてもよい。測色部は、測色データを得られるものであれば、画像形成装置１とオフラインのものであってもよい。オフラインの測色部では、測色データは、リムーバルの記憶メモリーによって測色部から取り出し、画像形成装置で読み出すようにするなどして画像形成装置でデータを取得することができる。また、測色部は、機械的に画像形成装置に接続される他、ネットワークやシリアルケーブルなどで画像形成装置に電気的に接続され、機械的には接続されていないものであってもよい。
【００３２】
次に、制御部１００およびその周辺の機能ブロックを図２に示す。
画像形成装置１は、主要な構成として、制御ブロック１１０とスキャナー部１３０と操作表示部１４０とプリンター部１５０とを有するコピア本体と、ＬＡＮを通して外部機器２（例えばＰＣやサーバ）との間で入出力される画像データを処理する画像処理部（プリント＆スキャナーコントローラー）１６０とを備えている。また、画像形成装置１は、後処理装置を有するものであってもよい。また、画像形成装置１は、他の後処理装置や、外部機器などと組み合わせて画像形成システムを構成することができる。
【００３３】
制御ブロック１１０は、ＰＣＩバス１１２を有しており、ＰＣＩバス１１２は制御ブロック１１０内でＤＲＡＭ制御ＩＣ１１１に接続されている。また、制御ブロック１１０には、制御ＣＰＵ１１３を備えており、該制御ＣＰＵ１１３に前記ＤＲＡＭ制御ＩＣ１１１が接続されている。また、制御ＣＰＵ１１３には、不揮発メモリー１１５が接続されている。該不揮発メモリー１１５には、上記制御ＣＰＵ１１３を動作させるためのプログラムや画像形成装置の設定データ、プロセス制御パラメーター等などが格納されている。
【００３４】
さらに不揮発メモリー１１５には、カラープロファイル、画像の色調整を行う際の調整値、用紙プロファイル、出力プロファイル、色調整の際の必要時間、最小限の用紙枚数などが読み書き可能に格納されている。不揮発メモリー１１５は、本発明の記憶部に相当する。色調整の際の必要時間、最小限の用紙枚数は、色調整に必要な必要資源量に相当する。なお、用紙が連続紙の場合、用紙長さを必要資源量に挙げることができる。また、必要資源量は、時間や用紙量に限定されるものではなく、例えば電力量などが挙げることができる。なお、必要資源量としては、複数のものの他、一つのものであってもよい。
【００３５】
制御ＣＰＵ１１３は、ＲＡＭやＲＯＭを備え、画像形成装置１の全体を制御し、また画像形成装置１全体の状態把握を行うものであり、用紙の搬送、操作表示、画像形成の制御などを行う。なお、この実施形態では、制御ＣＰＵ１１３は、画像形成装置本体１０内に設置されているものとして説明したが、画像形成装置の筺体外に制御ＣＰＵ１１３の一部または全部の機能を有するものであってもよい。
制御ＣＰＵ１１３には、ＲＴＣ（日時データ発生措置）１１４が接続されており、時間計測を行うことができる。
【００３６】
前記スキャナー部１３０は、光学読み取りを行うＣＣＤ１３１と、スキャナー部１３０全体の制御を行うスキャナー制御部１３２とを備えている。スキャナー制御部１３２は、前記制御ＣＰＵ１１３とシリアル通信可能に接続されており、制御ＣＰＵ１１３による制御を受ける。なお、スキャナー制御部１３２は、ＣＰＵやこれを動作させるプログラムなどによって構成することができる。前記ＣＣＤ１３１で読み取った画像データは、読み取り処理部１１６でデータ処理がなされる。
【００３７】
前記操作表示部１４０は、タッチパネル式のＬＣＤ１４１と、操作部制御部１４２とを備えており、上記ＬＣＤ１４１と操作部制御部１４２とが接続され、該操作部制御部１４２と前記制御ＣＰＵ１１３とがシリアル通信可能に接続されている。該構成によって操作表示部１４０の制御が制御ＣＰＵ１１３によって行われる。なお、操作部制御部１４２は、ＣＰＵやこれを動作させるプログラムなどによって構成することができる。操作表示部１４０では、画像形成装置や画像形成システムにおける設定や動作指令などの動作制御条件の入力が可能となっており、さらに設定内容、機械状態、情報の表示、色調整実施の有無指示等が可能になっており、上記制御ＣＰＵ１１３により制御される。この操作表示部１４０によって、所定の操作などを行うことができる。操作表示部１４０では、上記のように各種表示が可能である。
【００３８】
また、ＤＲＡＭ制御ＩＣ１１１は、圧縮メモリー１２１とページメモリー１２２とからなる画像メモリー（ＤＲＡＭ）１２０に接続されている。該画像メモリー（ＤＲＡＭ）１２０には、前記スキャナー部１３０で取得した画像データやＬＡＮ３を通して取得した画像データが格納される。上記のように画像メモリーは、画像データの記憶領域であり、印刷するジョブの画像データを格納する。また、上記ＤＲＡＭ制御ＩＣ１１１によって複数のジョブに関する画像データを画像メモリーに記憶させることができる。すなわち、画像メモリーには予約されたジョブの画像データの格納も可能である。
また、ＰＣＩバス１１２には、ＨＤＤ１１９が接続されており、ＨＤＤ１１９では各種データの格納、読み出しが可能である。
【００３９】
ＤＲＡＭ制御ＩＣ１１１には、画像データを圧縮または伸長する圧縮／伸長ＩＣ１１７が接続されている。さらにＤＲＡＭ制御ＩＣ１１１には書き込み処理部１２６が接続されている。書き込み処理部１２６は、プリンター部１５０のＬＤ１５２に接続され、該ＬＤ１５２の動作に用いられるデータの処理を行う。また、プリンター部１５０は、プリンター部１５０の全体を制御するプリンター制御部１５１を備えており、該プリンター制御部１５１は、前記した制御ＣＰＵ１１３に接続されて制御を受ける。すなわち、制御ＩＣ１１３から与えられるパラメーターに従い、プリント動作の開始／停止を行う。またプリンター部１５０には、測色センサー１８が含まれており、制御ＣＰＵ１１３による制御を受け、測色した測色データを制御ＣＰＵ１１３に送信する。
【００４０】
また、前記ＤＲＡＭ制御ＩＣ１１１に接続された前記ＰＣＩバス１１２には、前記した画像処理部（プリント＆スキャナーコントローラー）１６０のＤＲＡＭ制御ＩＣ１６１が接続されている。画像処理部（プリント＆スキャナーコントローラー）１６０では、ＤＲＡＭ制御ＩＣ１６１に画像メモリー１６２が接続されている。また、画像処理部（プリント＆スキャナーコントローラー）１６０では、前記ＤＲＡＭ制御ＩＣ１６１にコントローラー制御部１６３が接続されており、ＤＲＡＭ制御ＩＣ１６１に、ＬＡＮ制御部１６４を介してＬＡＮインターフェース１６５が接続されている。ＬＡＮインターフェース１６５は、ＬＡＮ３に接続される。
【００４１】
コントローラー制御部１６３は、外部から画像データを受けて、ＲＩＰ処理などを行うことができ、画像データの管理を行うことができる。
なお、画像装置の管理は、画像形成装置１外に置かれた外部機器２などにより行うことができ、外部機器２をネットワークなどによって画像形成装置１に接続して画像装置の管理を行うようにしてもよい。
【００４２】
ＬＡＮ３には、外部機器２（ＰＣやサーバなど）が接続されており、外部機器２を含む構成により画像形成システムが構成されるものであってもよく、外部機器２のみで画像形成装置１の管理を行う画像形成システムを構成してもよい。この際に、外部機器２に本発明の記憶部を有するものであってもよく、また、１または２以上の画像形成装置における記憶部を用いてもよい。外部機器２では、画像形成装置１の制御を行い、カラープロファイルに基づく色調整の制御を行って、本発明の制御部としての機能を有するものであってもよい。
【００４３】
次に、上記画像形成装置１の基本的動作について説明する。
先ず、画像形成装置１において画像データを蓄積する手順について説明する。
スキャナー部１３０で原稿の画像を読み取り、画像データを生成する場合、スキャナー部１３０において原稿からＣＣＤ１３１により原稿の画像を光学的に読み取る。この際には、制御ＣＰＵ１１３から指令を受けるスキャナー制御部１３２によってＣＣＤ１３１の動作制御を行う。ＣＣＤ１３１で読み取られた画像は、読み取り処理部１１６でデータ処理がなされ、データ処理された画像データは、圧縮／伸長ＩＣ１１７において所定の方法によって圧縮され、ＤＲＡＭ制御ＩＣ１１１を介して圧縮メモリー１２１に格納される。圧縮メモリー１２１に格納された画像データは、制御ＣＰＵ１１３によってジョブとして管理することができる。また、画像データは画像メモリー（ＤＲＡＭ）１２０に格納した後、ＨＤＤ１２７に格納することができる。印刷条件等は、操作表示部１４０において設定することができる。例えば、操作表示部１４０上で設定された印刷条件（プリントモード、品質モード設定、マスタ属性設定、属性データ変更）等の情報を制御ＣＰＵ１１３に通知し、制御ＣＰＵ１１３で設定情報を作成する。作成された設定情報は制御ＣＰＵ１１３内のＲＡＭに格納される。
【００４４】
画像データを外部から取得する場合、例えば、外部機器２からＬＡＮ３を通して送信される画像データは、コントローラー制御部１６３の制御により、ＬＡＮインターフェース１６５、ＬＡＮ制御部１６４を介してＤＲＡＭ制御ＩＣ１６１により画像メモリー１６２に格納される。画像メモリー１６２のデータは、ＤＲＡＭ制御ＩＣ１６１、ＰＣＩバス１１２、ＤＲＡＭ制御ＩＣ１１１を介してページメモリー１２２に一旦格納される。ページメモリー１２２に格納されたデータは、ＤＲＡＭ制御ＩＣ１１１を介して圧縮／伸長ＩＣ１１７に順次送られて圧縮処理され、ＤＲＡＭ制御ＩＣ１１１を介して圧縮メモリー１２１に格納され、上記と同様に制御ＣＰＵ１１３による管理がなされる。また、圧縮メモリー１２１に格納された画像データは、ＤＲＡＭ制御ＩＣ１１１を介してＨＤＤ１１９に格納することができる。
【００４５】
画像形成装置で画像出力を行う場合、すなわち複写機やプリンターとして使用する場合、圧縮メモリー１２１に格納された画像データを、ＤＲＡＭ制御ＩＣ１１１を介して圧縮／伸長ＩＣ１１７に送出してデータを伸長し、伸長したデータを書き込み処理部１２６に送出し、ＬＤ１５２において感光体１６Ａへの書き込みを行う。
また、ＨＤＤ１１９に画像データを格納している場合、ＤＲＡＭ制御ＩＣ１１１を回して一旦、圧縮／伸長ＩＣ１１７に格納し、以降、上記と同様の処理を行う。
【００４６】
画像出力を行う場合、前記したように操作表示部１４０の設定内容に基づいて行うことができるが、外部機器２などから制御内容を受けることができ、例えば外部機器２内のプリンタードライバに基づいて印刷条件などの制御内容を受けることができる。印刷条件などは、画像データと同様に、ＬＡＮインターフェース１６５、ＬＡＮ制御部１６４を介してＤＲＡＭ制御ＩＣ１６１により画像メモリー１６２に格納される。画像メモリー１６２のデータは、ＤＲＡＭ制御ＩＣ１６１、ＰＣＩバス１１２、ＤＲＡＭ制御ＩＣ１１１を介してページメモリー１２２に格納される。
【００４７】
また、プリンター部１５０では、制御ＣＰＵ１１３の指令を受けたプリンター制御部１５１によって各部の制御が行われる。画像形成部では、ＬＤ１５２により画像データに基づいて感光体に潜像が形成され、書き込まれたトナー像が、搬送経路によって供給される用紙に転写され、定着部で定着がなされる。
【００４８】
カラープロファイルに基づいて画像形成を行う場合、不揮発メモリー１１５に記憶されたカラープロファイルの情報に基づいたテストチャートの画像データによって画像形成部１６で印刷する。カラープロファイルは、テストチャートを印刷するための情報を保持している。
【００４９】
制御ＣＰＵ１１３は、カラープロファイルに基づいてテストチャートを印刷するために、デバイス非依存の画像データを画像形成装置依存の画像データに色変換するため、画像形成装置１に備える出力プロファイルに基づいて印刷を行う。
なお、この実施形態では、カラープロファイルは、画像形成装置が本来備えるプロファイルとは異なるものとして説明したが、画像形成装置が本来備えている出力プロファイルをカラープロファイルとして対象とするものであってもよい。
【００５０】
制御ＣＰＵ１１３には、前記したように測色センサー１８が接続されており、テストチャートの印刷がされると、印刷された用紙の画像を測色センサー１８によって読み取りを行う。制御ＣＰＵ１１３は、測色センサー１８で読み取られた測色データを受信する。
【００５１】
制御ＣＰＵ１１３では、測色データと、カラープロファイルに含まれる基準データとを比較し、色差を求める。基準データは例えば、ターゲットチャートデータとして、前記テストチャートと関連づけてカラープロファイルに含まれている。色差の取得方法が特に限定されるものではなく、予め定めた方法によって求めることができる。例えば、Ｌ＊ａ＊ｂ＊などにより色差を表すことができる。
【００５２】
制御ＣＰＵ１１３は、画像形成部１６の色調整を行う色調整機能を有している。色調整では、上記色差を得た場合に、基準値と比較して、基準値に達していない場合に、画像形成部に対し自動的に行ってもよく、また、操作表示部１４０を通して操作者の指示によって行うようにしてもよい。色調整機能では、テストチャートと基準データの色差ができるだけ小さくなるように実施する。色調整時には、ＲＴＣ（日時データ発生装置）１１４により所要時間を計測することができる。
【００５３】
色調整後の色差は、算出により推定値を得ることも可能であるが、色調整後に画像形成部１６でテストチャートを印刷し、このテストチャートを測色センサー１８で測色し、測色データを得た後、制御ＣＰＵ１１３で測色データと基準データとを比較し、色差を求めることができる。この工程により、色差を正確に把握することができる。色調整後の色差確認は、制御部によって自動的に行うようにしてもよい。
【００５４】
また、制御ＣＰＵ１１３は、色調整における、必要な時間または／および用紙枚数を必要資源量として取得することができる。
必要資源量は、算出により求めることができ、また、予め不揮発メモリー１１５に初期設定として記憶しておいてもよく、過去の実績を設定として不揮発メモリー１１５に記憶し、これを読み出して取得するようにしてもよい。また、同一条件がない場合、条件が近似する設定値を用いて必要資源量を表示するようにしてもよい。設置値が、用紙の紙種に依存する場合、紙種に関連づけてそれぞれ設定値を設けることができる。
【００５５】
表１は、色差を調整する際の時間情報が紙種毎にテーブルとして不揮発メモリー１１５に格納されているデータ構造である。紙種としては、例えば、紙材質（普通紙、塗工紙、上質紙など）や坪量などが挙げられる。
表２は、色調整に必要な用紙枚数を示す。用紙のサイズ毎に用紙枚数が異なっており、大きなサイズほど必要な用紙枚数が小さくなる。
上記テーブルのデータは、実績値が格納されているものとすることができる。なお、データは、予め初期設定値として不揮発メモリー１１５に格納されているものでもよく、さらに実績値を初期設置値の空欄の部分や初期設定値に上書きされるようにしてもよい。
【００５６】
【表１】
0006492751.tif 000002
【００５７】
【表２】
0006492751.tif 000003
【００５８】
次に、カラープロファイルに基づいて色調整を行う手順を図３のフローチャートに基づいて説明する。以下の手順は制御部による制御によって実行される。
カラープロファイルの選択と色調整実施の指示に基づいて色調整の確認が開始される。
色調整の確認は、カラープロファイルを用いた印刷ジョブの開始時に、色差チェックを行うかを操作表示部１４０で操作者が確認して行うことができ、また自動的に行うようにしてもよい。さらに、任意のタイミングで、操作表示部１４０を通して、確認動作を開始してもよい。
【００５９】
先ず紙種が選択される（ステップｓ１）。紙種の選択は予め設定によって定められているものであってもよく、また、操作者が操作表示部１４０を通して紙種の選択を行うようにしてもよい。紙種は、トレイ設定情報に関連づけられて設定されており、紙種情報にしたがって、給紙トレイが選択されて給紙および搬送がされる。
紙種の選択に伴って、所定の紙種の用紙が給紙、搬送され、測色用のテストチャートを画像形成部によって該用紙に印刷する（ステップｓ２）。
【００６０】
印刷された用紙は、測色センサーで測色が行われ（ステップｓ３）、制御部において色差が求められ、基準値に達しているか、すなわち合格ラインをクリアしているかの判定がなされる（ステップｓ４）。色差が合格ラインに達していなければ（ステップｓ４、Ｎｏ）、再調整を行うステップｓ１２に移行する。色差が合格ラインに達していれば（ステップｓ４、Ｙｅｓ）、計測したテーブル（テーブル１）があるかの判定を行う（ステップｓ５）。
【００６１】
ステップｓ５で、計測したテーブル（テーブル１）がある場合（ステップｓ５、Ｙｅｓ）、操作表示部１４０に、現在のΔＥ（色差；以下同じ）を表示し、現在のΔＥをさらに改善する場合に掛かる時間または枚数をテーブルの該当するデータに基づいて目安の時間を表示する（ステップｓ６）。時間または枚数は、過去の実績から表示する。
さらに調整を続ける場合の必要用紙枚数は、調整時間から推測されるチャート印刷回数と、１度のチャート印刷枚数から計算し、表示する。
【００６２】
次いで、操作表示部１４０で、再調整するかの問い合わせを行い、その結果を判定する（ステップｓ１０）。
【００６３】
ステップｓ５で、計測したテーブル（テーブル１）がない場合（ステップｓ５、Ｎｏ）、選択した紙種のデータが画像形成装置に予め準備されているか（記憶部に格納されているか）を判定する（ステップｓ７）。
選択した紙種のデータが予め準備されている場合（ステップｓ７、Ｙｅｓ）、操作表示部１４０に、現在のΔＥを表示し、さらに、現在のΔＥをさらに改善する場合に掛かる時間または枚数を、装置に予め記録されている時間または用紙枚数のデータに基づいて表示する（ステップｓ８）。すなわち、過去に同レベルのΔＥから調整した実績はないが、予め装置に組み込まれているテーブルに同一条件のデータがあれば、それを表示する
次いで、操作表示部１４０で、再調整するかの問い合わせを行い、その結果を判定する（ステップｓ１０）。
【００６４】
ステップｓ７で、選択した紙種のデータが予め準備されていない場合（ステップｓ７、Ｎｏ）、操作表示部１４０に、現在のΔＥを表示し、さらに、現在のΔＥをさらに改善する場合に掛かる時間または枚数を、予測によって算出し表示する（ステップｓ９）。
すなわち、過去に同レベルのΔＥから調整した実績もなく、予め装置に組み込まれているテーブルに同一条件データもない場合は、最も近いレベルの実績を元に、「〜分以上かかります」と予想時間を表示する。近似曲線が導き出せる場合は、その関数を元に予想時間を算出してもよい。
【００６５】
次いで、操作表示部１４０で、再調整するかの問い合わせを行い、その結果を判定する（ステップｓ１０）。
ステップｓ１０で、再調整しないと判定される場合（ステップｓ１０、Ｎｏ）、色調整を完了する。
【００６６】
再調整すると判定される場合（ステップｓ１０、Ｙｅｓ）、テーブル１更新のため、ＲＴＣ（日時データ発生装置）によって調整開始時刻を記録し、調整開始時ΔＥを不揮発メモリー１１５に格納する（ステップｓ１１）。
次いで、色調整を実施し、さらにテストチャートの印刷、測色、基準データとの比較を行って、調整後の色差を取得する（ステップｓ１２）。例えばカラープロファイルの変更や補正値を取得する。
【００６７】
色調整終了に伴って、テーブル１更新のため、調整開始時刻に基づいて計測された調整時間を記録し、調整後のΔＥを不揮発メモリー１１５に格納する（ステップｓ１３）。
テーブルを作成／更新する場合は、例えば、（１）最新のデータのみを残す、（２）所定回数分の記録を取っておき、平均値をテーブルに記録するなどの方法を採用することができる。
その後、ステップｓ４に戻って、再調整を行わない判定（ステップｓ１０、Ｎｏ）がなされるまで色調整確認を繰り返す。
【００６８】
なお、上記色調整では、画像形成装置に備える測色センサーで測色を行うものとして説明したが、画像形成装置外の測色部で測色を行い、測色データを画像形成装置に送信したり、リムーバルの記憶部を用いてデータを移行したり、測色データを操作表示部で入力したりするなどして色調整を行うこともできる。
その場合、測色部は、画像形成装置とオンラインでもオフラインでもよい。
【００６９】
次に、色調整に際し、操作表示部に表示する操作画面を図４に基づいて説明する。
操作画面１４００は、操作表示部１４０に表示される。制御部１００では、ステップｓ６、８、９のステップで、該操作画面１４００を操作表示部１４０に表示する。
操作画面１４００では、コピー設定画面上などに色調整結果画面１４１０をポップアップ表示している。
【００７０】
色調整結果画面１４１０には、通知部１４１１に、現在のΔＥの数値を表示し、調整を続けるかの問い合わせと、調整に際しての目安の時間が表示されている。その際に、目標とする色差に応じて複数の目安時間を表示することができる。ただし、本発明としては、複数の目安を示すことが必要とされるものではない。
さらに、色調整結果画面１４１０には、「はい」ボタン１４２０と「いいえ」ボタン１４２１とが押下操作可能に表示されている。
【００７１】
「はい」ボタン１４２０を押し下げると、色調整を再実施する指示が行われる。なお、色調整の目標値を複数有する場合、さらに、いずれを選択するかを操作画面に表示して指示を求めることができる。
「いいえ」ボタン１４２１を押し下げると、色調整を再実施しない指示が行われる。
再実施をするか否かは、通知部１４１１の表示内容を見て、操作者は容易に選択を行うことができる。
【００７２】
以上、本発明について、上記実施形態に基づいて説明を行ったが、本発明の範囲を逸脱しない限りは適宜の変更が可能である。
【符号の説明】
【００７３】
１    画像形成装置
１４    操作表示部
１５    搬送経路
１６    画像形成部
１８    測色センサー
１１３    制御ＣＰＵ
１１５    不揮発メモリー
１４０    操作表示部
【図１】
0006492751.tif 000004
【図２】
0006492751.tif 000005
【図３】
0006492751.tif 000006
【図４】
0006492751.tif 000007